(57)【特許請求の範囲】
【請求項１】
異なる地区に配置されている複数の端末装置と通信ネットワークを介して接続されるサーバ装置を備えた緊急通報システムであって、
スイッチを有し、当該スイッチが押されることにより当該スイッチがオン状態となったときに無線信号を送信する無線信号送信手段と、
前記無線信号送信手段から前記無線信号を受信したときに、自己の所在地の位置情報および自己の電話番号の情報を、前記サーバ装置に送信する移動通信の通信端末とを備え、
移動通信の通信端末は、無線信号送信手段が送信する無線信号を受信する無線信号受信手段と、
無線信号受信手段が前記無線信号を受信したならば、ＧＰＳ信号を受信して、自己の所在地の位置情報を計算する位置情報計算手段と、
サーバ装置に前記位置情報および自己の電話番号の情報を送信する送信手段とを備え、
前記サーバ装置は、前記通信端末から前記位置情報および前記電話番号の情報を受信したときに、通信ネットワークを介して前記複数の端末装置のそれぞれにプッシュ型配信によって一斉に前記位置情報および前記電話番号の情報を送信し、
前記端末装置は、前記位置情報および前記電話番号の情報を受信して、前記通信端末の位置および電話番号を表示する
ことを特徴とする緊急通報システム。
【請求項２】
移動通信の通信端末は、自己の所在地の位置情報および自己の電話番号の情報を定期的にサーバ装置に送信する請求項１記載の緊急通報システム。
【請求項３】
端末装置は、地図情報を保持し、通信ネットワークを介してサーバ装置から受信した位置情報に基づいて、位置情報を計算した通信端末の位置を示す地図を表示する請求項１または請求項２記載の緊急通報システム。
【請求項４】
端末装置は、電子メールの着信を知らせる機能を備え、サーバ装置は、電子メールによって通信端末の位置情報および電話番号の情報を端末装置に送信する請求項１から請求項３のうちのいずれか１項に記載の緊急通報システム。
【請求項５】
緊急時に移動通信の通信端末の所在地を、異なる地区に配置されている複数の端末装置に通報するための緊急通報プログラムであって、
コンピュータに、移動通信の通信端末から、前記通信端末の所在地の位置情報および前記通信端末の電話番号の情報を受信する処理と、
前記位置情報および前記電話番号の情報を受信したときに、通信ネットワークを介して前記コンピュータと接続する前記複数の端末装置のそれぞれにプッシュ型配信によって一斉に前記位置情報および前記電話番号の情報を送信する処理とを
実行させるための緊急通報プログラム。
【発明の詳細な説明】
【０００１】
【発明の属する技術分野】
本発明は、緊急事態が発生したときに、通報者が迅速に緊急連絡先に位置等を知らせることができる緊急通報システムに関する。
【０００２】
【従来の技術】
事故や急病等の各種緊急事態が発生したときには、電話機で緊急連絡先に連絡をとったり、火災報知器を作動させて緊急連絡をすることが多い。この場合、通報者は電話機等が配置されている場所まで移動して、救助等の要請をしなければならない。通報のために電話機等の配置場所まで移動しなければならないとすると、例えば、暴漢等に襲撃された場合や、突然遭難した場合、健康状態が急激に悪化した場合等に通報が非常に困難になってしまう。
【０００３】
また、通報者が、携帯電話装置を所持している場合であっても、携帯電話装置を鞄等の保管場所から取り出さなければならない。暴漢に襲撃される等の緊急事態においては、携帯電話装置を取り出す時間もないことがあり、通報が困難な場合がある。
【０００４】
そこで、緊急時に所定の連絡先に通報するシステムが種々提案されている。例えば、特開平１１−３９５８１号公報には、装身具から無線信号を発信させ、その信号を受信した報知ユニットが、予め録音されていたメッセージを所定の連絡先に伝える緊急報知システムが記載されている。この緊急報知システムでは、報知ユニットは、複数の連絡先に順番にメッセージを伝える。
【０００５】
【発明が解決しようとする課題】
しかし、そのようなシステムでは、予め録音されていたメッセージを伝えるので、緊急連絡を受けた者は利用者の位置をすぐに確認することができなかった。連絡を受けた者が、すぐに通報者を救出するためには、通報者の位置を迅速に確認しなければならない。通報者が、自分の所在地を把握していない場合や、聾唖者である場合であっても、連絡を受けた者は通報者の位置を確認する必要がある。特開平１１−３９５８１号公報に記載されたシステムでは、連絡を受けた者が、通報者の位置を確認しようとする場合には、無線信号の発信源を捜索しなければならなかった。
【０００６】
また、複数の連絡先にほぼ同時に緊急連絡を伝えることが好ましい場合がある。例えば、通報者が複数の緊急連絡先のうち、最寄りの連絡先がどこかを把握していない場合には、各連絡先にほぼ同時に位置を伝えることが好ましい。各連絡先にほぼ同時に位置を連絡すれば、連絡を受けた者のうち通報者に最も近い者が対応することにより、より早く通報者を救助することができる。特開平１１−３９５８１号公報に記載された発明は、複数の連絡先に順番に電話をかけるので、各連絡先にメッセージを連絡するのに時間がかかるという問題があった。
【０００７】
そこで、本発明は、緊急事態が発生したときに、所定の連絡先に迅速に通報者の位置情報等を伝達する緊急通報システムを提供することを目的とする。また複数の連絡先にほぼ同時に通報者の位置情報等を伝達する緊急通報システムを提供することを目的とする。
【０００８】
【課題を解決するための手段】
本発明による緊急通報システムは、異なる地区に配置されている複数の端末装置と通信ネットワークを介して接続されるサーバ装置を備えた緊急通報システムであって、スイッチを有し、当該スイッチが押されることにより当該スイッチがオン状態となったときに無線信号を送信する無線信号送信手段と、前記無線信号送信手段から前記無線信号を受信したときに、自己の所在地の位置情報および自己の電話番号の情報を、前記サーバ装置に送信する移動通信の通信端末とを備え、移動通信の通信端末は、無線信号送信手段が送信する無線信号を受信する無線信号受信手段と、無線信号受信手段が前記無線信号を受信したならば、ＧＰＳ(Global Positioning System )信号を受信して、自己の所在地の位置情報を計算する位置情報計算手段と、サーバ装置に前記位置情報および自己の電話番号の情報を送信する送信手段とを備え、前記サーバ装置は、前記通信端末から前記位置情報および前記電話番号の情報を受信したときに、通信ネットワークを介して前記複数の端末装置のそれぞれにプッシュ型配信によって一斉に前記位置情報および前記電話番号の情報を送信し、前記端末装置は、前記位置情報および前記電話番号の情報を受信して、前記通信端末の位置および電話番号を表示することを特徴とする。
【０００９】
このような構成によれば、ＧＰＳ信号によって位置情報を計算するので、通報者が所在地を認識していない場合等であっても、位置情報を端末装置に伝えることができる。また、通報者は、スイッチをオン状態にするという簡単な操作を行うことで、所在地の情報を端末装置に伝えることができる。また、オペレータが端末装置においてサーバ装置にアクセスする操作を行わなくても、サーバ装置が、通報者の位置情報等を端末装置に送信するので、オペレータに迅速に位置情報等を送信することができる。
【００１０】
移動通信の通信端末は、自己の所在地の位置情報および自己の電話番号の情報を定期的にサーバ装置に送信してもよい。このような構成によれば、通信端末を所持する者の所在地を適宜確認することができる。
【００１１】
端末装置は、地図情報を保持し、通信ネットワークを介してサーバ装置から受信した位置情報に基づいて、位置情報を計算した通信端末の位置を示す地図を表示することが好ましい。このような構成によれば、通信端末を所持する者の位置が地図上に示されるで、所在地をより把握しやすくなる。
【００１２】
端末装置は、電子メールの着信を知らせる機能を備え、サーバ装置は、電子メールによって通信端末の位置情報および電話番号の情報を端末装置に送信してもよい。
【００２２】
また、本発明による緊急通報プログラムは、緊急時に移動通信の通信端末の所在地を、異なる地区に配置されている複数の端末装置に通報するための緊急通報プログラムであって、コンピュータに、移動通信の通信端末から、前記通信端末の所在地の位置情報および前記通信端末の電話番号の情報を受信する処理と、前記位置情報および前記電話番号の情報を受信したときに、通信ネットワークを介して前記コンピュータと接続する前記複数の端末装置のそれぞれにプッシュ型配信によって一斉に前記位置情報および前記電話番号の情報を送信する処理とを実行させることを特徴とする。
【００２４】
【発明の実施の形態】
以下、本発明の実施の形態を図面を参照して説明する。
図１は、本発明による緊急通報システムの実施の一形態を示すブロック図である。発信装置１および携帯電話装置１１は、緊急時に緊急連絡先に通報する通報者によって所持される。端末装置４４，４５は、緊急連絡先に配置される。端末装置４４，４５が配置される場所の例として、例えば、警備会社、通報者の家族の家、警察、消防署等がある。図１では２台の端末装置４４，４５を示したが、端末装置は１台であっても、３台以上であってもよい。
【００２５】
発信装置１は、小型の無線信号送信機である。発信装置１は、例えば、ブレスレット等のように身につけられる形状を有する。利用者（緊急時に通報を行う者）は、この発信装置１を身につけ、また、携帯電話装置１１を所持する。発信装置１は、ボタン等のスイッチ３を備える。通報者がスイッチ３を押すと、発信装置１は、管理サーバ３１への通報を命令する無線信号を携帯電話装置１１に送信する。以下、この無線信号をトリガー信号と記す。
【００２６】
携帯電話装置１１は、トリガー信号を受信したならば、ＧＰＳ衛星から受信するＧＰＳ信号によって通報者の現在位置の情報を計算する。また、この位置情報や携帯電話装置１１の電話番号等の情報を電話網４２を介して、管理サーバ３１に送信する。
【００２７】
管理サーバ３１は、受信した位置情報や電話番号等の情報を各端末装置４４，４５に送信する。各端末装置４４，４５は、管理サーバ３１からの情報に基づいて通報者の位置や携帯電話装置１１の電話番号等を表示する。端末装置４４，４５のオペレータは、通報者の救助等のために適切に対処する。例えば、通報者の位置に最も近い端末装置のオペレータが、携帯電話装置１１に電話をかけて状況を確認し、救急車を手配する等の対処を行う。また、警察へ連絡する必要があれば、警察へ連絡する。
【００２８】
図２は、通報者が所持する発信装置１および携帯電話装置１１の構成の例を示すブロック図である。発信装置１は、送信回路２およびスイッチ３を備える。送信回路２は、スイッチ３がオン状態となったときにトリガー信号を携帯電話装置１１に送信する。
【００２９】
送信回路２はトリガー信号として微弱な電波を送信するので、通報者はトリガー信号送信のために免許を取得する必要はない。また、通報者は、発信装置１と携帯電話装置１１とを所持するので、発信装置１と携帯電話装置１１との距離は短い。したがって、携帯電話装置１１は、トリガー信号が微弱であっても受信することができる。
【００３０】
携帯電話装置１１において、トリガー信号受信部１３は、発信装置１が送信したトリガー信号を受信する。トリガー信号受信部１３は、トリガー信号を受信すると、位置計算部１５に位置計算命令を出力し、制御部１２に管理サーバ３１の呼出し命令を出力する。
【００３１】
位置計算部１５は、位置計算命令が入力されると、ＧＰＳ衛星からＧＰＳ信号を受信して、携帯電話装置１１の所在地の位置情報（すなわち、通報者の位置情報）を計算する。位置計算部１５は、例えば、携帯電話装置１１が存在する地点の緯度および経度を位置情報として計算する。また、位置計算部１５は、携帯電話装置１１の電話番号等の情報を位置情報とともに信号変換部１７に出力する。位置計算部１５は、電話番号の他に、予め登録された通報者の氏名等を出力してもよい。位置計算部１５は、位置情報および電話番号等の情報をデジタル信号で信号変換部１７に出力する。信号変換部１７は、入力された位置情報および電話番号等の情報をＤ−Ａ変換し、回線接続部１８に出力する。
【００３２】
また、制御部１２は、トリガー信号受信部１３から管理サーバ３１の呼出し命令が入力されると、回線接続部１８を介して管理サーバ３１の選択信号を電話網４２が備える交換機（図示せず。）に送信する。この結果、携帯電話装置１１と管理サーバ３１とが接続される。呼出し命令に応じて送信される選択信号は、ダイヤルボタン（図示せず。）を介して通報者等によって予め入力され、特定の相手（管理サーバ３１）を呼び出すように設定されている。回線接続部１８は、電話網４２を介して位置情報および電話番号等の情報を管理サーバ３１に送信する。
【００３３】
また、携帯電話装置１１は、ダイヤルボタンや送受話器（図示せず。）を備え、他の電話機との間で通話を行うという通常の電話機の機能を有する。
【００３４】
図３は、管理サーバ３１の構成の例を示すブロック図である。
管理サーバ３１において、制御部３２は、記憶装置３３が記憶するプログラムにしたがい、管理サーバ３１全体の制御および各種演算処理を行う。プログラムは、携帯電話装置１１や端末装置４４，４５との情報の送受信や、受信した情報に対する処理等を行うプログラムである。
【００３５】
回線接続部３４は、電話網４２を介して携帯電話装置１１から位置情報や電話番号等の情報を受信する。また、回線接続部３４は、電話網４２を介して受信したアナログ信号を制御部３２が処理するデジタル信号に変換する。ネットワークインタフェース部３５は、インターネット４３を介して端末装置４４，４５と情報の送受信を行う。
【００３６】
端末装置４４，４５は、例えば、パーソナルコンピュータや携帯情報端末等である。また、インターネット４３に接続することができる携帯電話装置であってもよい。管理サーバ３１は、携帯電話装置１１から通報者の位置情報および電話番号等を受信したならば、インターネット４３を介してその情報を各端末装置４４，４５に送信する。各端末装置４４，４５は、管理サーバ３１から受信した情報に基づいて通報者の位置や電話番号を表示する。
【００３７】
管理サーバ３１は、端末装置４４，４５におけるオペレータの操作によらず、携帯電話装置１１から位置情報等を受信したときに、端末装置４４，４５にその情報を送信する。例えば、端末装置４４，４５がパーソナルコンピュータ等のようにプッシュ型配信される情報を取り込むことができる端末である場合には、管理サーバ３１は、プッシュ型配信として端末装置４４，４５に位置情報等を送信する。
【００３８】
また、端末装置４４，４５が、電子メールの着信を知らせる機能を有する携帯電話装置である場合には、管理サーバ３１は各端末装置（携帯電話装置）４４，４５に、位置情報や電話番号等の情報を記載した電子メールを送信する。電子メールを受信した端末装置４４，４５は、着信音を発する等してオペレータに電子メールの着信を知らせる。
【００３９】
このように、端末装置４４，４５はオペレータが管理サーバ３１にアクセスする操作を行わなくても、管理サーバ３１からプッシュ型配信や電子メール等により通報者の位置情報や電話番号等の情報を受信する。
【００４０】
本例において、無線信号送信手段は、発信装置１によって実現される。また、本例において、移動通信の通信端末は携帯電話装置であり、無線信号受信手段は、トリガー信号受信部１３によって実現され、位置情報計算手段は、位置計算部１５によって実現され、送信手段は、制御部１２、信号変換部１７、回線接続部１８によって実現される。また、サーバ装置は、管理サーバ３１によって実現される。
【００４１】
次に、動作について説明する。
図４は、発信装置１、携帯電話装置１１、管理サーバ３１、および端末装置４４，４５の間で実行される処理の処理経過の例を示す流れ図である。ここでは、端末装置４４，４５が、プッシュ型配信される情報を取り込むことができるパーソナルコンピュータである場合を例に説明する。
【００４２】
非常事態が生じた場合、発信装置１を身につけている者は、発信装置１のボタンを押すなどして、スイッチ３をオン状態とする。通報者は、発信装置１を鞄等にしまっているのではなく身につけているので、すぐにスイッチ３をオン状態とすることができる。スイッチ３がオン状態となると、送信回路２は、トリガー信号を送信する（ステップＳ１０１）。携帯電話装置１１は、トリガー信号受信部１３でトリガー信号を受信する。
【００４３】
携帯電話装置１１は、トリガー信号を受信したならば、通報者の位置情報を計算し、また、管理サーバ３１と回線を接続する（ステップＳ１０２）。ステップＳ１０２においては、まず、トリガー信号を受信したトリガー信号受信部１３が、位置計算部１５に位置計算命令を出力し、制御部１２に管理サーバ３１の呼出し命令を出力する。位置計算命令が入力された位置計算部１５は、ＧＰＳ衛星からＧＰＳ信号を受信して、携帯電話装置１１の位置情報（例えば、緯度および経度）を計算する。位置計算部１５は、計算した位置情報および予め保持している携帯電話装置１１の電話番号の情報を信号変換部１７に出力する。位置計算部１５が、ダイヤルボタン等から入力される通報者の氏名等を予め保持し、その氏名等の情報も信号変換部１７に出力する構成であってもよい。位置計算部１５は、位置情報等をデジタル信号として出力する。信号変換部１７は、入力された位置情報等をＤ−Ａ変換して、電話網４２に送出できる信号に変換する。
【００４４】
一方、制御部１２は、呼出し命令にしたがい、回線接続部１８を介して管理サーバ３１の選択信号を交換機に送信し、携帯電話装置１１と管理サーバ３１とを接続させる。
【００４５】
制御部１２は、位置情報や電話番号等の情報を回線接続部１８から管理サーバ３１に送信する（ステップＳ１０３）。管理サーバ３１は、回線接続部３４で位置情報等を受信する。回線接続部３４は、アナログ信号として位置情報等を受信し、受信した信号を制御部３２が処理するデジタル信号に変換する。
携帯電話装置１１の制御部１２は、位置情報や電話番号等を管理サーバ３１に送信した後、管理サーバ３１との回線の接続を断とする。
【００４６】
続いて、管理サーバ３１の制御部３２は、携帯電話装置１１から受信した位置情報や電話番号等の情報を、インターネット４３を介して各端末装置４４，４５に送信する（ステップＳ１０４）。制御部３２は、プッシュ型配信として位置情報等を各端末装置４４，４５に送信する。制御部３２は、端末装置４４，４５においてオペレータが管理サーバ３１へのアクセスを指示する操作を行っていなくても、ステップＳ１０３の後に、端末装置４４，４５への送信を行う。
【００４７】
各端末装置４４，４５は、ステップＳ１０４において受信した位置情報や電話番号等の情報を表示する（ステップＳ１０５）。端末装置４４，４５は、地図情報を保持し、管理サーバ３１から受信する位置情報に基づき、通報者の位置を示す地図を表示することが好ましい。例えば、端末装置４４，４５がハードディスク等の記憶装置に地図情報を記憶し、管理サーバ３１がプッシュ型配信として送信する位置情報に基づいて、その位置を示す地図を表示することが好ましい。地図を表示することにより、オペレータが通報者の位置を把握しやすくなる。
【００４８】
各端末装置４４，４５が通報者の位置や電話番号を表示した場合、例えば、通報者の位置に最も近いオペレータが、通報者の携帯電話装置１１に電話をかけて状況を確認し、状況に応じた措置（救助者の派遣、警察への連絡等）をとる。
【００４９】
ここでは、携帯電話装置１１が、電話網４２を介して管理サーバ３１に位置情報や電話番号等を送信する場合を示したが、携帯電話装置１１が電話網４２を介してインターネットサーバ（図示せず）に位置情報等を送信し、そのインターネットサーバがインターネットを介して管理サーバ３１に位置情報等を送信してもよい。
【００５０】
また、管理サーバ３１は、位置情報や電話番号の情報の他に、通報者の氏名等を携帯電話装置１１から受信して、端末装置４４，４５に送信してもよい。この場合、端末装置４４，４５は、通報者の氏名等も表示する。
【００５１】
本発明によれば、通報者が、身につけている発信装置１のスイッチをオン状態とすることで、携帯電話装置１１が管理サーバ３１に通報者の位置情報等を送信し、管理サーバ３１が位置情報等を各端末装置４４，４５に送信する。したがって、所持している携帯電話装置１１を取り出す時間もないような突発的な事態が生じた場合であっても、発信装置１のボタンを押す等の簡単な動作のみで、緊急連絡先に位置情報等を伝えることができる。
また、発信装置１の形状をブレスレット等の装身具の形状とすることで、携帯性が増し、子供等も容易に携帯することができる。
【００５２】
また、携帯電話装置１１は、ＧＰＳ信号を受信して位置情報を計算し、位置情報を管理サーバ３１に送信する。したがって、通報者が自分の位置を把握していなかったり、聾唖者である場合であっても、緊急連絡先に位置情報等を伝えることができる。
【００５３】
また、携帯電話装置１１は、位置情報だけでなく携帯電話装置１１の電話番号の情報も管理サーバ３１に送信し、管理サーバ３１は、この電話番号情報も各端末装置４４，４５に送信する。したがって、オペレータは、通報者の電話番号を知ることができ、通報者に電話をかけて、通報者の状況等を確認することができる。
【００５４】
管理サーバ３１は、端末装置４４，４５においてオペレータが管理サーバ３１へのアクセスを指示する操作を行っていなくても、携帯電話装置１１から位置情報等を受信した場合には、その情報を端末装置４４，４５に送信する。したがって、複数の端末装置４４，４５に迅速に位置情報等を送信することができる。
【００５５】
また、管理サーバ３１は、各端末装置４４，４５にほぼ同時に位置情報等を送信することができ、通報者に最も近いオペレータが対応することができる。したがって、通報者が最寄りの緊急連絡先を把握していない場合であっても、最寄りの連絡先による措置（救助者の派遣等）を期待することができる。
【００５６】
例えば、端末装置４４が、ある地区（Ａ地区）に配置され、端末装置４５が、他の地区（Ｂ地区）に配置されているとする。端末装置４４のオペレータは、Ａ地区内の通報者に対して迅速に対応でき、端末装置４５のオペレータは、Ｂ地区内の通報者に対して迅速に対応できる。このとき、Ａ地区内の通報者は、端末装置４４のオペレータに連絡をすればよい。しかし、通報者が、このオペレータの連絡先を把握していない場合や、自分の所在地を把握していないため、どこに連絡するべきかわからない場合がある。このような場合であっても、携帯電話装置１１が管理サーバ３１に位置情報等を送信し、管理サーバ３１が各端末装置４４，４５に同時に位置情報等を送信するので、各オペレータが通報者の位置等を確認できる。そして、端末装置４４のオペレータが、Ａ地区内からの通報であることを確認して、迅速に救助者の派遣等をすることができる。このように複数の端末装置に位置情報等を送信することによって、最寄りのオペレータが迅速に対応することができる。
【００５７】
なお、管理サーバ３１は、ステップＳ１０４において、プッシュ型配信とともに、通報者の位置情報や電話番号等の情報を示す電子メールを端末装置４４，４５に送信してもよい。
また、管理サーバ３１は、プッシュ型配信を行うとともに、各端末装置４４，４５からの要求に応じて、通報者の位置情報および電話番号等を示すＷＥＢページの画面情報を端末装置に送信して、ＷＥＢページを表示させてもよい。この場合、制御部３２は、ステップＳ１０３において受信する位置情報や電話番号等の情報を記憶装置３３に保持する。そして、端末装置４４，４５から要求があった場合には、保持した情報を表示するＷＥＢページの画面情報を送信する。
【００５８】
端末装置４４，４５は、電子メールの着信を知らせる機能を有する携帯電話装置であってもよい。この場合、管理サーバ３１は、ステップＳ１０４において、通報者の位置情報や電話番号等の情報を示す電子メールを端末装置４４，４５に送信する。端末装置４４，４５は、電子メールを受信すると、着信音を発する等してオペレータに電子メールの着信を知らせ、オペレータの操作によって電子メール（位置情報や電話番号等）を表示する。端末装置４４，４５は、地図情報を予め保持し、電子メールとして受信した位置情報に基づいて通報者の位置を示す地図を表示することが好ましい。
【００５９】
このように端末装置４４，４５が携帯電話装置であっても、管理サーバ３１は、オペレータの操作によらずに、電子メールによって位置情報等を端末装置４４，４５に送信する。したがって、複数の端末装置４４，４５に迅速に、また、ほぼ同時に位置情報を送信することができる。そして、電子メールを受信した端末装置４４，４５は、着信音等でオペレータに着信を知らせるので、オペレータは着信した電子メールをすぐに確認することができ、通報者に対する対応が遅れることがない。
【００６０】
なお、端末装置４４，４５が、電子メールの着信を知らせる機能を有する携帯電話装置である場合、管理サーバ３１は、電子メールとあわせて、他の手段によって位置情報等を送信してもよい。例えば、端末装置（携帯電話装置）４４，４５からの要求に応じて、インターネット４３を介するパケット通信によって、位置情報や電話番号等を示すＷＥＢコンテンツを端末装置４４，４５に送信してもよい。
【００６１】
次に、他の実施の形態について説明する。
発信装置１は、通報者が発信装置１のスイッチ３を操作しなくても、定期的にトリガー信号を送信する構成であってもよい。本例は、例えば、徘徊癖のある痴呆症の老人の所在地を確認する場合等に適用することができる。
【００６２】
この実施の形態において、発信装置１は、一定時間毎に送信回路２にトリガー信号を送信させるタイマを備える。発信装置１は、このタイマにより定期的にトリガー信号を送信する。携帯電話装置１１（トリガー信号受信部１３）がトリガー信号を受信した後の動作は、ステップＳ１０２以降の動作と同様である。
【００６３】
このような発信装置１および携帯電話装置１１を、例えば、徘徊癖ある痴呆症の老人に所持させておけば、老人が徘徊しても、定期的に所在地を確認できる。また、痴呆症の老人に限らず、子供等がこの発信装置１および携帯電話装置１１を所持していれば、子供が誘拐された等の事態が生じた場合においても、その所在位置を定期的に確認することができる。あるいは、身に危険が及ぶ可能性の高い者が警備会社に警備を依頼した場合、警備会社は、依頼者の所在地を適宜把握できることが好ましい。この場合、依頼者に、タイマを備えた発信装置１と携帯電話装置１１を所持させることにより、警備会社は、依頼者の位置を適宜確認することができる。
【００６４】
携帯電話装置１１の保持者の所在を定期的に知る必要がある場合、発信装置１がタイマを備えるのではなく、携帯電話装置１１が、一定時間毎に、位置計算部１５に位置計算命令を出力し、制御部１２に管理サーバ３１の呼出し命令を出力するタイマを備える構成であってもよい。位置計算部１５に位置計算命令が入力され、制御部１２に呼出し命令が入力された後の動作は、前述の場合と同様である。タイマを設けることによって、定期的に携帯電話装置１１の保持者の位置を確認できる。
【００６５】
また、オペレータが受け付ける位置情報等の連絡には、緊急度が高く直ちに通報者を救助しなければならない場合と、比較的緊急度が低い場合がある。オペレータが緊急度の高い連絡を受け付けている場合には、端末装置４４，４５は、管理サーバ３１が通報者の位置情報等を受信した後、直ちに管理サーバ３１から位置情報等を受け取る必要がある。すなわち、端末装置４４，４５は、オペレータが管理サーバ３１にアクセスする操作を行わなくても、管理サーバ３１から情報を受信しなければならない。上記の各例では、管理サーバ３１がプッシュ型配信を行ったり、電子メールの着信を知らせる機能を有する端末装置（携帯電話装置）に電子メールを送信するなどして、オペレータが操作しなくても、通報者の情報を端末装置に送信する場合を示した。
【００６６】
一方、オペレータが、比較的緊急度の低い連絡のみを受け付ける場合もある。例えば、徘徊癖ある痴呆症の老人が所持する携帯電話装置１１が、定期的に位置情報を管理サーバ３１に送信している場合には、オペレータに要求される迅速性は比較的緩やかになる。比較的緊急度の低い連絡のみを受け付けている場合、管理サーバ３１は、プッシュ型配信によって位置情報を端末装置４４，４５に送信するのではなく、端末装置４４，４５からの要求に応じて、老人の位置情報や電話番号等を示すＷＥＢページの画面情報を送信してもよい。このＷＥＢページは、電話番号とともに、通報者（老人）の位置を示す地図を表示するＷＥＢページであることが好ましい。端末装置４４，４５が、インターネット４３に接続できる携帯電話装置である場合には、管理サーバ３１は、端末装置４４，４５からの要求に応じて、インターネット４３を介するパケット通信によって、位置情報等を示すＷＥＢコンテンツを送信してもよい。
【００６７】
また、発信装置１は、通報者が身につけるのではなく、自動車の運転席に取り付けられていてもよい。運転手は、携帯電話装置１１を所持して運転を行い、事故が発生したときに、発信装置１のスイッチ３をオン状態とする。このような実施の形態によれば、運転時に事故が発生し、携帯電話装置１１を取り出す時間がないような場合であっても所定の緊急連絡先に連絡することができる。この場合、端末装置４４，４５を、交通事故に対応する警察署や消防署等に配置しておくことにより、警察署等に迅速に自動車の位置（事故現場の位置等）を知らせることができる。なお、発信装置１を自動車の運転席に取り付ける場合にも、発信装置１や携帯電話装置１１にタイマを設け、運転手の位置を適宜確認できるようにしてもよい。
【００６８】
また、上記の各例において、管理サーバ３１が端末装置４４，４５に位置情報等を送信して表示させるのではなく、管理サーバ３１が、携帯電話装置１１から受信した位置情報等を表示してもよい。例えば、緊急の連絡を受けるオペレータが一人である場合等には、管理サーバ３１が、通報者の位置や電話番号等を表示し、オペレータはこの表示を確認してもよい。この場合、管理サーバ３１は、ディスプレイ等の出力装置を備え、この出力装置に通報者の位置や電話番号等を表示する。また、管理サーバ３１は、記憶装置３３に地図情報を保持し、通報者の位置を示す地図を出力装置に表示することが好ましい。本例において、管理サーバ３１は、表示装置としての役割を果たす。
【００６９】
また、一箇所の連絡先にのみ緊急の連絡をすれば足りる場合がある。例えば、発信装置１および携帯電話装置１１を所持した子供が迷子になった場合には、親にのみ連絡をすれば足りる。このような場合、携帯電話装置１１は、管理サーバ３１ではなく、他の携帯電話装置（例えば、子供の親が所持する携帯電話装置）に位置情報および電話番号等を送信し、この携帯電話装置が子供の位置を表示すればよい。
【００７０】
この実施の形態において、通報者が所持する携帯電話装置１１の制御部１２には、予め他の携帯電話装置の選択信号が入力され、制御部２が呼出し命令を入力されたときに、その携帯電話装置を呼び出すように設定される。呼び出される携帯電話装置は、管理サーバ３１が位置や電話番号を表示する場合と同様に、受信した位置情報等に基づいて通報者の位置や電話番号等を表示する。呼び出される携帯電話装置は、地図情報を保持して、通報者の位置を示す地図を表示することが好ましい。
【００７１】
また、図２に示す携帯電話装置１１が、位置情報や電話番号等を送信するだけでなく、ディスプレイを備え、他の携帯電話装置から受信した位置情報や電話番号を表示ししてもよい。この場合、回線線接続部１８が位置情報等を受信する。信号変換部１７は、Ａ−Ｄ変換も行い、回線接続部１８が受信した位置情報等をデジタル信号に変換する。制御部１２は、その情報に基づいてディスプレイに通報者の位置等を表示する。二人の者が、それぞれこのような携帯電話装置１１および発信装置１を所持していれば、互いに位置を知らせあうことができる。
【００７２】
【発明の効果】
本発明によれば、異なる地区に配置されている複数の端末装置と通信ネットワークを介して接続されるサーバ装置を備え、スイッチを有し、当該スイッチが押されることにより当該スイッチがオン状態となったときに無線信号を送信する無線信号送信手段と、前記無線信号送信手段から前記無線信号を受信したときに、自己の所在地の位置情報および自己の電話番号の情報を、サーバ装置に送信する移動通信の通信端末とを備え、移動通信の通信端末は、無線信号送信手段が送信する無線信号を受信する無線信号受信手段と、無線信号受信手段が前記無線信号を受信したならば、ＧＰＳ信号を受信して、自己の所在地の位置情報を計算する位置情報計算手段と、 サーバ装置に前記位置情報および自己の電話番号の情報を送信する送信手段とを備え、サーバ装置は、前記通信端末から前記位置情報および前記電話番号の情報を受信したときに、通信ネットワークを介して複数の端末装置のそれぞれにプッシュ型配信によって一斉に前記位置情報および前記電話番号の情報を送信し、前記端末装置は、前記位置情報および前記電話番号の情報を受信して、前記通信端末の位置および電話番号を表示する。したがって、サーバ装置は通信ネットワークを介して端末装置に位置情報等を送信するので、端末装置が複数存在している場合であっても、各端末装置にほぼ同時に位置情報等を送信することができる。また、管理サーバは、通信端末から位置情報等を受信したときに、端末装置にその位置情報等を伝えるので、迅速に情報を伝えることができる。また、位置情報によって、通報者の位置を把握することができ、通報者の救出措置等を迅速に行うことができる。また、位置情報だけでなく電話番号も端末装置に伝えられるので、通報者に電話をかけて、状況の確認をすることができる。
【図面の簡単な説明】
【図１】  本発明による緊急通報システムの実施の一形態を示すブロック図である。
【図２】  発信装置および携帯電話装置の構成の例を示すブロック図である。
【図３】  管理サーバの構成の例を示すブロック図である。
【図４】  発信装置、携帯電話装置、管理サーバ、および端末装置の間で実行される処理の処理経過の例を示す流れ図である。
【符号の説明】
１  発信装置
２  送信回路
３  スイッチ
１１  携帯電話装置
１２  制御部
１３  トリガー信号受信部
１５  位置計算部
１７  信号変換部
１８  回線接続部
３１  管理サーバ
３２  制御部
３３  記憶装置
３４  回線接続部
３５  ネットワークインタフェース部
４４，４５  端末装置
【図１】
0003693928.tif 000002
【図２】
0003693928.tif 000003
【図３】
0003693928.tif 000004
【図４】
0003693928.tif 000005